(57)【特許請求の範囲】
【請求項１】
移動局における方法であって、前記方法は、
セルを検出し、前記セルに関する信号強度計測を行うことと、
最小の受信された信号強度および最小の受信された信号品質のうちの少なくとも一方を含む測定報告基準を前記セルが満たし続ける限り、前記セルに関する測定レポートを伝送することと、
前記セルに関する測定レポート伝送についての第１の制約条件が満たされる場合に、
第１の測定レポート形式を用いて前記セルに関する測定レポートを伝送することを控えることと、
前記セルが前記測定報告基準を満たしているかどうかにかかわらず、決定された期間の間、前記セルに関する測定レポートを伝送することを控えることと、
前記決定された期間の後、前記セルに関する測定レポートを伝送することと
を行うことと
を含む、方法。
【請求項２】
前記セルに関する任意の測定レポートを伝送することを控えることをさらに含み、前記セルに関する任意の測定レポートを伝送することを控えることは、前記第１の制約条件が満たされる場合に、前記第１の測定レポート形式を用いて前記セルに関する測定レポートを伝送することを控えることを含む、請求項１に記載の方法。
【請求項３】
前記第１の制約条件が満たされる場合に、第２の測定レポート形式を用いて前記セルに関する測定レポートを伝送し続けることをさらに含む、請求項１に記載の方法。
【請求項４】
第２の制約条件が満たされた後に、
最小の受信された信号強度および最小の受信された信号品質のうちの少なくとも一方を含む測定報告基準を前記セルが満たし続ける限り、前記セルに関する測定レポートを伝送することと、
前記セルに関する測定レポート伝送についての第１の制約条件が満たされる場合に、第１の測定レポート形式を用いて前記セルに関する測定レポートを伝送することを控えることと
をさらに含む、請求項１に記載の方法。
【請求項５】
前記セルに関する測定レポートを伝送することは、
第１の測定レポート形式を用いて前記セルに関する少なくとも１つの測定レポートを伝送することと、
第２の測定レポート形式を用いて前記セルに関する少なくとも１つの測定レポートを伝送することと
を含む、請求項１〜４のいずれか一項に記載の方法。
【請求項６】
移動局であって、前記移動局は、
プロセッサと、
受信機と、
送信機と
を含み、
前記移動局は、
前記受信機が、セルを検出し、前記プロセッサが、前記セルに関する信号強度計測を行い、
前記送信機が、最小の受信された信号強度および最小の受信された信号品質のうちの少なくとも一方を含む測定報告基準を前記セルが満たし続ける限り、前記セルに関する測定レポートを伝送し、
前記セルに関する測定レポート伝送についての第１の制約条件が満たされる場合に、
前記送信機が、第１の測定レポート形式を用いて前記セルに関する測定レポートを伝送することを控えることと、
前記セルが前記測定報告基準を満たしているかどうかにかかわらず、前記送信機が、決定された期間の間、前記セルに関する測定レポートを伝送することを控えることと、
前記決定された期間の後、前記送信機が、前記セルに関する測定レポートを伝送することと
を行うように構成されている、移動局。
【請求項７】
前記移動局は、前記送信機が、前記セルに関する任意の測定レポートを伝送することを控えるようにさらに構成されており、前記セルに関する任意の測定レポートを伝送することを控えることは、前記第１の制約条件が満たされる場合に、前記第１の測定レポート形式を用いて前記セルに関する測定レポートを伝送することを控えることを含む、請求項６に記載の移動局。
【請求項８】
前記移動局は、前記送信機が、前記第１の制約条件が満たされる場合に、第２の測定レポート形式を用いて前記セルに関する測定レポートを伝送し続けるようにさらに構成されている、請求項６に記載の移動局。
【請求項９】
前記移動局は、
第２の制約条件が満たされた後に、
前記送信機が、最小の受信された信号強度および最小の受信された信号品質のうちの少なくとも一方を含む測定報告基準を前記セルが満たし続ける限り、前記セルに関する測定レポートを伝送し、
前記送信機が、前記セルに関する測定レポート伝送についての第１の制約条件が満たされる場合に、第１の測定レポート形式を用いて前記セルに関する測定レポートを伝送することを控える
ようにさらに構成されている、請求項６に記載の移動局。
【請求項１０】
前記送信機が、前記セルに関する測定レポートを伝送することは、
前記送信機が、第１の測定レポート形式を用いて前記セルに関する少なくとも１つの測定レポートを伝送することと、
前記送信機が、第２の測定レポート形式を用いて前記セルに関する少なくとも１つの測定レポートを伝送することと
を含む、請求項６〜９のいずれか一項に記載の移動局。
【請求項１１】
プログラムが記録されたコンピュータ読み取り可能な格納媒体であって、前記プログラムは、
セルを検出し、前記セルに関する信号強度計測を行うことと、
最小の受信された信号強度および最小の受信された信号品質のうちの少なくとも一方を含む測定報告基準を前記セルが満たし続ける限り、前記セルに関する測定レポートを伝送することと、
前記セルに関する測定レポート伝送についての第１の制約条件が満たされる場合に、
第１の測定レポート形式を用いて前記セルに関する測定レポートを伝送することを控えることと、
前記セルが前記測定報告基準を満たしているかどうかにかかわらず、決定された期間の間、前記セルに関する測定レポートを伝送することを控えることと、
前記決定された期間の後、前記セルに関する測定レポートを伝送することと
を移動局に行わせる、コンピュータ読み取り可能な格納媒体。
【請求項１２】
前記プログラムは、前記セルに関する任意の測定レポートを伝送することを控えることを前記移動局にさらに行わせ、前記セルに関する任意の測定レポートを伝送することを控えることは、前記第１の制約条件が満たされる場合に、前記第１の測定レポート形式を用いて前記セルに関する測定レポートを伝送することを控えることを含む、請求項１１に記載のコンピュータ読み取り可能な格納媒体。
【請求項１３】
前記プログラムは、前記第１の制約条件が満たされる場合に、第２の測定レポート形式を用いて前記セルに関する測定レポートを伝送し続けることを前記移動局にさらに行わせる、請求項１１に記載のコンピュータ読み取り可能な格納媒体。
【請求項１４】
前記プログラムは、
第２の制約条件が満たされた後に、
最小の受信された信号強度および最小の受信された信号品質のうちの少なくとも一方を含む測定報告基準を前記セルが満たし続ける限り、前記セルに関する測定レポートを伝送することと、
前記セルに関する測定レポート伝送についての第１の制約条件が満たされる場合に、第１の測定レポート形式を用いて前記セルに関する測定レポートを伝送することを控えることと
を前記移動局にさらに行わせる、請求項１１に記載のコンピュータ読み取り可能な格納媒体。
【請求項１５】
前記セルに関する測定レポートを伝送することは、
第１の測定レポート形式を用いて前記セルに関する少なくとも１つの測定レポートを伝送することと、
第２の測定レポート形式を用いて前記セルに関する少なくとも１つの測定レポートを伝送することと
を含む、請求項１１〜１４のいずれか一項に記載のコンピュータ読み取り可能な格納媒体。
【発明の詳細な説明】
【技術分野】
【０００１】
（分野）
本願は、測定レポートを伝送するシステムおよび方法に関する。
【背景技術】
【０００２】
ＧＥＲＡＮ（ＧＳＭ（登録商標）  Ｅｄｇｅ  Ｒａｄｉｏ  Ａｃｃｅｓｓ  Ｎｅｔｗｏｒｋ）では、測定レポート（すなわち、隣接セルの信号強度／質の測定を含有するメッセージ）が、固定サイズメッセージの中で送信される。各メッセージは、長さが約２０オクテットであり、典型的には、約６個のセルに対する情報を含有する。
【０００３】
ＧＥＲＡＮにおけるいくつかの測定レポートは、測定されたセルのＲＡＴ（無線アクセス技術）を明示的に示さず、代わりに、周波数インデックスが使用され、範囲（０−３１）が、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）に分けられる。
【０００４】
ネットワークは、測定報告基準（例えば、最低信号強度および／または質）を信号伝達することができ、セルがこれらの基準を満たさない場合、携帯電話は、測定レポートの中でそのセルを報告しないものとする。単一の報告に含むことができるよりも多くのセルが基準を満たす場合、優先順位付け方式が特定される（この優先順位付けのいくつかのパラメータは、ネットワークによって信号伝達されてもよい）。
【０００５】
いくつかのセルは、ＰＬＭＮ（公衆陸上移動ネットワーク）オペレータがセルの場所／動作を制御しないという意味において、制御されていない。他のセルは、オペレータがセルの場所／動作を制御するという意味において、制御される。制御されていないセルの実施例は、例えば、ＣＳＧ（閉鎖加入者グループ）セル、ホームイーノードｂおよびホームノードｂによって制御されるセルを含む。これらのセルはまた、通常の無線／セル計画を受けていないという意味で、「協調していない」と呼ばれることもある。
【０００６】
概して、制御されたセルに対するハンドオーバを行う多くの方法があると理解される。この文脈でのハンドオーバは、特に、デバイスのサービングセルのコントローラからの要求に応答して、移動局が標的セルへのセル変更を行う前に、そのセルにおける伝送および／または受信のためのリソース（例えば、タイムスロット、周波数チャネル、スクランブル用コード等）が移動局に割り付けられる、セル変更を指す。
【０００７】
制御されていないセルは、オペレータによって所有されている周波数帯を使用するように構成されてもよいが、ネットワークオペレータは、制御されたセルと同じ制御を制御されていないセルに対して持たない。典型的には、ネットワークオペレータは、支持構造（電波塔等）を所有しない、バックホール接続（例えば、デジタル加入者回線（Ｄｉｇｉｔａｌ  Ｓｕｂｓｃｒｉｂｅｒ  Ｌｉｎｅ／ＤＳＬ）接続）を所有または制御しない、所与の制御されていないセルのスイッチが入れられる時を認知していないか、あるいは制御しない、および／または制御されていないセルの場所を認知していなくてもよい、あるいは制御しなくてもよい。オペレータは、典型的には、オペレータが周波数帯のライセンスを所有する場合に、動作周波数、伝送電力等の種々のパラメータを依然として制御する。
【０００８】
制御された、または制御されていない標的セルへのハンドオーバを行うために、ＭＳ（移動局）は、典型的には、ハンドオーバ過程を開始することができるように、標的セルに関する識別情報を現在のサービングセルに提供する必要がある。具体的には、現在のサービングセルは、標的セルに対するセルコントローラと（おそらくコアネットワークを介して）通信できる必要がある。しかしながら、現在のサービングセルは、セルに対する明示的な識別情報（セルグローバル識別等）が提供されない限り、標的の制御されていないセルに対するセルコントローラに到達する方法を認識しない場合がある。これは、その様なセルへのハンドオーバを困難にする。対照的に、制御された標的セルについては、サービングセルまたはネットワークの何らかの部分が、セルの他の識別特徴（動作周波数、スクランブル用コード等）を標的セルまたはそのコントローラの識別にマップできてもよいため、サービングセルが標的の制御されたセルに対するセルコントローラに到達できるために、標的の制御されたセルからの放送情報の取得を必要としないか、または引き起こさない、標的セルについての情報を、移動局が現在のサービングセルに提供することが十分であってもよい。
【０００９】
セルコントローラは、必ずしも、制御されていないセル（より一般的には別のセル）の物理層識別（周波数、拡散コード等）をそれぞれのコントローラの識別（またはメッセージを標的コントローラに送るためにコアネットワーク内の他の場所で使用することができる識別）にマップしなくてもよい。
【発明の概要】
【発明が解決しようとする課題】
【００１０】
したがって、一般に、制御されていないセルのハンドオーバのために、移動局が、制御されたセルへのハンドオーバの場合よりも多くの標的セルに関する識別情報を提供しなければならなくなることが予期される。
【課題を解決するための手段】
【００１１】
測定レポートの中のＣＳＧセルの識別は、「ルーティングパラメータ」の包含を通して達成される。これらのルーティングパラメータは、標的セルのコントローラに接触し、ハンドオーバコマンドメッセージを要求するために、サービングセルコントローラによって使用される。ＭＳは、典型的には、標的セルの放送システム情報を読み取ることによって、測定レポートを送信する前にこれらを得て、また、この情報を記憶させてもよい。
【００１２】
いくつかの既存の測定レポートメッセージは、（部分的に）「周波数インデックス」（０．．３１）を使用して、セルを識別し、各周波数インデックスは、定格（すなわち、非ＣＳＧ）物理搬送周波数を表す。インデックスは、ＧＳＭ（登録商標）、ＵＭＴＳ、またはＥ−ＵＴＲＡＮ周波数（のうちの最大でも１つ）に使用されてもよい。物理周波数へのインデックスのマッピングは、移動局によって受信される処理隣接セルリスト（ＮＣＬ）に対する複雑な規則に基づく。
例えば、本発明は以下の項目を提供する。
（項目１）
セルを検出し、該セルに関する信号強度測定を行うことと、
セルに関して、そのセルが、受信された信号の強度および質のうちの少なくとも１つに関する測定報告基準を満たし続ける限り、該セルに関する測定レポートを伝送することであって、該セルに関する測定レポート伝送についての第１の制約条件が満たされる場合に、第１の測定レポート形式を使用する該セルに関する測定レポートを伝送することを控える、ことと
を含む、方法。
（項目２）
前記第１の制約条件が満たされる場合に、前記セルに関するあらゆる測定レポートを伝送することを控えることをさらに含み、該控えることは、前記第１の測定レポート形式を使用する該セルに関する測定レポートを伝送することを控えることを含む、項目１に記載の方法。
（項目３）
前記第１の制約条件が満たされる場合に、第２の測定レポート形式を使用する前記セルに関する測定レポートを伝送し続けることをさらに含む、項目１に記載の方法。
（項目４）
第２の制約条件が満たされた後に、前記セルに関して、そのセルが、受信された信号の強度および質のうちの少なくとも１つに関する測定報告基準を満たし続ける限り、該セルに関する測定レポートを伝送し、該セルに関する測定レポート伝送への第１の制約条件が満たされる場合に、第１の測定レポート形式を使用する該セルに関する測定レポートを伝送することを控えることを反復することをさらに含む、項目１に記載の方法。
（項目５）
前記第１の制約条件は、測定レポートの最大数である、項目１〜４のうちのいずれか１項に記載の方法。
（項目６）
前記第１の制約条件は、前記第１の測定レポート形式を使用する測定レポートの最大数である、項目１〜４のうちのいずれか１項に記載の方法。
（項目７）
前記第１の制約は、定義された期間内の測定レポートの最大数である、項目１〜４のうちのいずれか１項に記載の方法。
（項目８）
前記第１の制約条件は、定義された期間内の前記第１の測定レポート形式を使用する測定レポートの最大数である、項目１〜４のうちのいずれか１項に記載の方法。
（項目９）
前記第１の制約条件は、連続した測定レポートの最大数である、項目１〜４のうちのいずれか１項に記載の方法。
（項目１０）
移動局が、先行する定義された期間内に該移動局が報告しなかったセルに対する測定レポートを送信する場合に、前記第１の測定レポート形式を使用する該測定レポートを送信することをさらに含む、項目１に記載の方法。
（項目１１）
前記セルが測定報告基準を満たしている間、同じセルに対して少なくともさらにＮ＿ｍｉｎ−１個のレポートを送信することをさらに含み、該送信することは、該レポートのうちの最後のものが、前記第１の測定レポート形式を使用し、該レポートのうちの残りのものが、第２の測定レポート形式を使用する、項目１０に記載の方法。
（項目１２）
前記第１の制約条件は、前記セルに関する測定レポートの伝送のための期間の満了である、項目１〜４のうちのいずれか１項に記載の方法。
（項目１３）
前記移動局が、先行する定義された期間内に該移動局が報告しなかったセルに対する測定レポートを送信する場合に、そのセルが測定報告基準を満たし続ける限り、該セルに関する少なくともＮ＿ｍｉｎ−１個のさらなる測定レポートを伝送することをさらに含む、項目１〜４のうちのいずれか１項に記載の方法。
（項目１４）
前記移動局が、先行する定義された期間内に該移動局が報告しなかったセルに対する測定レポートを送信する場合に、そのセルが測定報告基準を満たし続ける限り、少なくとも定義された期間にわたって、該セルに関するさらなる測定レポートを伝送することをさらに含む、項目１〜４のうちのいずれか１項に記載の方法。
（項目１５）
前記セルに関する測定レポートを伝送することを控えることは、該セルが前記測定報告基準を満たすにかかわらず、特定の期間にわたって前記セルに関する測定レポートを伝送することを控えることを含む、項目１〜４のうちのいずれか１項に記載の方法。
（項目１６）
前記第１の制約条件は、単一の測定レポートメッセージにおいて測定報告基準を満たす全てのセルを報告することが可能ではないことを部分的に含む、項目１〜１５のいずれか１項に記載の方法。
（項目１７）
セルに関する測定レポートを伝送することは、
該セルに関して、第１の測定レポート形式を使用する少なくとも１つの測定レポートを伝送することと、
該セルに関して、第２の測定レポート形式を使用する少なくとも１つの測定レポートを伝送することと
を含む、項目１〜１６のいずれか１項に記載の方法。
（項目１８）
前記セルに関する測定レポートを送信した後に、そのセルが測定報告基準を満たし続ける限り、該セルに関する測定レポートを伝送することをさらに含み、該伝送することにより、前記第１の測定レポート形式を使用する少なくともＮ＿ＲＰ＿ｍｉｎ個の測定レポートが伝送される、項目１７に記載の方法。
（項目１９）
前記セルに関する測定レポートを送信した後に、そのセルが測定報告基準を満たし続ける限り、該セルに関する測定レポートを伝送することをさらに含み、該伝送することにより、前記第１の測定レポート形式を使用して少なくともＮ＿ＲＰ＿ｍｉｎ個の測定レポートが伝送され、および定義された期間に該同じセルに対して、該第１の測定レポート形式を使用してＮ＿ＲＰ＿ｍａｘ個以下の測定レポートが伝送される、項目１７に記載の方法。
（項目２０）
測定レポートを伝送することは、前記第１の測定レポート形式を使用する測定レポート、および前記第２の測定レポート形式を使用する測定レポートについての定義されたシーケンスを伝送することを含む、項目１７に記載の方法。
（項目２１）
少なくとも１つの測定レポートについて、該測定レポートが前記定義されたシーケンスの中にある場所についての指示を含むことをさらに含む、項目２０に記載の方法。
（項目２２）
少なくとも１つの測定レポートについて、該測定レポートが測定レポートのシーケンスの中にある場所についての指示を含むことをさらに含む、項目１７に記載の方法。
（項目２３）
前記定義されたシーケンスの少なくとも前記第１の測定レポートは、前記第１の測定レポート形式を使用する、項目２０に記載の方法。
（項目２４）
前記定義されたシーケンスは、Ｎ個毎のレポートが前記第１の測定レポート形式を使用する様なものである、項目２０に記載の方法。
（項目２５）
前記第１の制約条件は、測定レポートの最大数であり、該方法は、
前記セルに関する測定レポートを送信した後に、そのセルが測定報告基準を満たし続ける限り、該セルに関する少なくともＮ＿ｍｉｎ−１個のさらなる測定レポートを伝送することをさらに含む、項目１３に記載の方法。
（項目２６）
前記Ｎ＿ｍｉｎ個の測定レポートは、前記第１の測定レポート形式を使用する少なくともＮ＿ＲＰ＿ｍｉｎ個の測定レポート、および該第１の測定レポート形式を使用する最大でもＮ＿ＲＰ＿ｍａｘ個の測定レポートを含む、項目２５に記載の方法。
（項目２７）
制御されていないセルに関して適用される、項目１〜２６のいずれかに記載の方法。
（項目２８）
前記第１の測定レポート形式は、ルーティングパラメータを含有する測定レポート形式である、項目１〜２７のいずれかに記載の方法。
（項目２９）
セルを検出し、該セルに関する信号強度測定を行うことと、
セルに関して、第１の測定レポート形式を使用する少なくとも１つの測定レポートを伝送することと、
該セルに関して、第２の測定レポート形式を使用する少なくとも１つの測定レポートを伝送することと
を含む、方法。
（項目３０）
移動局が、先行する定義された期間内に該移動局が報告しなかったセルに対する測定レポートを送信する場合、前記第１の測定レポート形式を使用する該測定レポートを伝送することと、該セルが適用測定報告基準を満たしている間、該同じセルに対してさらなるＮ＿ｍｉｎ−１個のレポートを送信することであって、そのうちの最後のものは、該第１の測定レポート形式を使用する、こととをさらに含む、項目２９に記載の方法。
（項目３１）
前記セルに関する測定レポートを送信した後に、そのセルが測定報告基準を満たし続ける限り、少なくとも定義された期間にわたって、該セルに関するさらなる測定レポートを伝送することをさらに含む、項目２９に記載の方法。
（項目３２）
前記セルに関する測定レポートを送信した後に、そのセルが測定報告基準を満たし続ける限り、該セルに関する測定レポートを伝送することをさらに含み、該伝送することにより、前記第１の測定レポート形式を使用する少なくともＮ＿ＲＰ＿ｍｉｎ個の測定レポートが伝送される、項目２９に記載の方法。
（項目３３）
前記セルに関する測定レポートを送信した後に、そのセルが測定報告基準を満たし続ける限り、該セルに関する測定レポートを伝送することをさらに含み、該伝送することにより、前記第１の測定レポート形式を使用する少なくともＮ＿ＲＰ＿ｍｉｎ個の測定レポートが伝送され、および定義された期間に、該第１の測定レポート形式を使用するＮ＿ＲＰ＿ｍａｘ個以下の測定レポートが同じセルに対して伝送される、項目２９に記載の方法。
（項目３４）
測定レポートを伝送することは、前記第１の測定レポート形式を使用する測定レポートおよび前記第２の測定レポート形式を使用する測定レポートについての定義されたシーケンスを伝送することをさらに含む、項目２９に記載の方法。
（項目３５）
少なくとも１つの測定レポートについて、該測定レポートが前記定義されたシーケンスの中にある場所についての指示を含むことをさらに含む、項目３４に記載の方法。
（項目３６）
少なくとも１つの測定レポートについて、該測定レポートが測定レポートのシーケンスの中にある場所についての指示を含むことをさらに含む、項目２９に記載の方法。
（項目３７）
前記定義されたシーケンスの少なくとも前記第１の測定レポートは、前記第１の測定レポート形式を使用する、項目３４に記載の方法。
（項目３８）
前記定義されたシーケンスは、Ｎ個毎のレポートが前記第１の測定レポート形式を使用する様なものである、項目３４に記載の方法。
（項目３９）
前記セルに関して、前記第２の測定レポート形式を使用する少なくとも１つの測定レポートを伝送することは、
ＢＳＩＣ−ＮＣＥＬＬパラメータおよび周波数インデックス値によって、該セルを識別することを含む、項目１７〜３８のうちのいずれか１項に記載の方法。
（項目４０）
前記第１の測定レポート形式を使用する測定レポートの中に、前記ＢＳＩＣ−ＮＣＥＬＬパラメータの値および前記周波数インデックスの一方または両方の少なくとも識別部分についての指示を含むことをさらに含み、該指示は、前記第２の測定レポート形式の測定レポートの中で前記セルを識別するために使用される、項目３９に記載の方法。
（項目４１）
前記セルに関して、前記第２の測定レポート形式を使用する少なくとも１つの測定レポートを伝送することは、
隣接セルリストインデックスによって該セルを識別することを含む、項目１７〜３８のうちのいずれか１項に記載の方法。
（項目４２）
前記第１の測定レポート形式を使用する測定レポートの中に、前記隣接セルリストインデックスの値の少なくとも識別部分についての指示を含むことをさらに含み、該指示は、該前記第２の測定レポート形式の測定レポートの中で前記セルを識別するために使用される、項目４１に記載の方法。
（項目４３）
前記セルに関して、前記第２の測定レポート形式を使用する少なくとも１つの測定レポートを伝送することは、
ＦＲＥＱＵＥＮＣＹ＿ＮおよびＢＳＩＣ＿Ｎによって該セルを識別することを含む、項目１７〜３８のうちのいずれか１項に記載の方法。
（項目４４）
前記第１の測定レポート形式を使用する測定レポートの中に、前記ＦＲＥＱＵＥＮＣＹ＿ＮおよびＢＳＩＣ＿Ｎパラメータの値ならびに前記周波数インデックスのうちの１つ以上の少なくとも識別部分についての指示を含むことをさらに含み、該指示は、前記第２の測定レポート形式の測定レポートの中で前記セルを識別するために使用される、項目４３に記載の方法。
（項目４５）
第２の種類の測定レポートの中で前記セルを識別するために使用されるパラメータの選択された値が、なんら曖昧性をもたらさないことを確実にすることをさらに含む、項目３９〜４４のうちのいずれか１項に記載の方法。
（項目４６）
前記第２の測定レポート形式を使用する少なくとも１つの測定レポートを伝送することは、物理層パラメータを含有する少なくとも１つの測定レポートを伝送することを含み、
前記第１の測定レポート形式を使用する少なくとも１つの測定レポートを伝送することは、セルグローバル識別、ＣＳＧ−ＩＤ、およびＰＬＭＮ−ＩＤの様なパラメータのうちの１つ以上を含有する少なくとも１つの測定レポートを伝送することを含む、項目１７〜３８のうちのいずれか１項に記載の方法。
（項目４７）
前記セルに関して、前記第２の測定レポート形式を使用する少なくとも１つの測定レポートを伝送することは、
周波数インデックスを選択し、該周波数インデックスおよびＰＣＩ／ＰＳＣを符号化することであって、該選択および符号化するにより、隣接セルとの曖昧性が全く存在しないという要件に従う符号化値を生成する、ことと、
該符号化値を伝送することと
を含む、項目１７〜３８のうちのいずれか１項に記載の方法。
（項目４８）
前記移動局は、一度に特定種類の多くて１つのセルについて報告するように制約されており、該方法は、
該セルに関して、前記第２の測定レポート形式を使用する少なくとも１つの測定レポートを伝送することが、
その様な測定レポート各々の一部として、任意の他の隣接セルによって使用されていないそれぞれのインデックスまたは識別子を伝送することを含むことをさらに含む、項目１７〜３８のうちのいずれか１項に記載の方法。
（項目４９）
前記特定種類は、制御されていないセルである、項目４８に記載の方法。
（項目５０）
前記特定種類は、制御されていないＥ−ＵＴＲＡＮセルである、項目４８に記載の方法。
（項目５１）
前記特定種類は、制御されていないＵＴＲＡＮセルである、項目４８に記載の方法。
（項目５２）
前記セルに関して、前記第２の測定レポート形式を使用する少なくとも１つの測定レポートを伝送することは、
任意の他の隣接セルによって使用されていないインデックスまたは識別子を選択することと、
第１の測定レポート形式を使用する測定レポートの中で該インデックスまたは識別子を伝達することと、
第２の測定レポート形式を使用する測定レポートの中で該インデックスまたは識別子を使用することと
を含む、項目１７〜３８のうちのいずれか１項に記載の方法。
（項目５３）
移動局における方法であって、
該方法は、
セルを検出し、該セルに関する信号強度測定を行うことと、
該移動局が、先行する定義された期間内に該移動局が報告しなかったセルに対する測定レポートを送信する場合に、少なくとも測定報告に関する定義された最小値が満たされるまで、該セルが適用測定報告基準を満たしている間、該セルに対する測定レポートを伝送し続けることと
を含む、方法。
（項目５４）
前記定義された最小値は、最短期間である、項目５３に記載の方法。
（項目５５）
前記定義された最小値は、測定レポートの最小数である、項目５３に記載の方法。
（項目５６）
制御されていないセルに関して適用される、項目２９〜５５のうちのいずれか１項に記載の方法。
（項目５７）
前記第２の測定レポート形式を使用する測定レポートの中で、制御されていないセルに特異的に確保されたインデックスまたは他の識別子を使用することをさらに含む、項目１７〜３８のうちのいずれか１項に記載の方法。
（項目５８）
前記第１の測定レポート形式は、ルーティングパラメータを含有する測定レポート形式である、項目２９〜５７のうちのいずれか１項に記載の方法。
（項目５９）
前記第２の測定レポート形式は、ルーティングパラメータを含有しない測定レポート形式である、項目１〜５８のうちのいずれかに記載の方法。
（項目６０）
測定レポート伝送に関する移動局の挙動を特定する少なくとも１つのパラメータを無線で受信することをさらに含む、項目１〜５９のうちのいずれかに記載の方法。
（項目６１）
前記少なくとも１つのパラメータは、
ａ）単一のセルに対して送信されるべきであるレポートの最小数と、
ｂ）単一のセルに対して送信されるべきであるレポートの最大数と、
ｃ）単一のセルに対するレポートをその間に送信する最大時間窓と、
ｄ）ルーティングパラメータを含有するべきであるレポートの最小数と、
ｅ）ルーティングパラメータを含有するべきであるレポートの最大数と、
ｆ）どのレポート、およびいくつのレポートがルーティングパラメータを含有すべきかということと
のうちの少なくとも１つである、項目６０に記載の方法。
（項目６２）
少なくとも１つの測定レポートは、複数のセルに関している、項目１〜６１のうちのいずれかに記載の方法。
（項目６３）
少なくとも１つの  アンテナと、
少なくとも１つの無線アクセス通信機と、
測定レポートジェネレータであって、該測定レポートジェネレータは、項目１〜６２のうちのいずれか１項に記載の方法を実装するように構成される、測定レポートジェネレータと
を備える、モバイルデバイス
（項目６４）
モバイルデバイスによって実行されたときに、項目１〜６２のうちのいずれか１項に記載の方法を該モバイルデバイスに行わせる、その中に記憶されたコンピュータ実行可能命令を有する、コンピュータ可読媒体。
（項目６５）
無線ネットワークにおける方法であって、
該方法は、
測定レポート伝送に関する移動局の挙動を特定する少なくとも１つのパラメータを無線で伝送することをさらに含む、方法。
（項目６６）
前記少なくとも１つのパラメータは、
ａ）単一のセルに対して送信されるべきであるレポートの最小数と、
ｂ）単一のセルに対して送信されるべきであるレポートの最大数と、
ｃ）単一のセルに対するレポートをその間に送信する最大時間窓と、
ｄ）ルーティングパラメータを含有するべきであるレポートの最小数と、
ｅ）ルーティングパラメータを含有するべきであるレポートの最大数と、
ｆ）どのレポート、およびいくつのレポートがルーティングパラメータを含有すべきかということと
のうちの少なくとも１つである、項目６５に記載の方法。
（項目６７）
第１の測定レポート形式を使用するセルに関する第１の測定レポートを受信することと、
第２の測定レポート形式を使用するセルに関する第２の測定レポートを受信することと、
該第２の測定レポートを該第１の測定レポートと関連付けることと
を含む、無線ネットワークにおける方法。
（項目６８）
前記第１の測定レポート形式は、ルーティングパラメータを含み、前記第２の測定レポートは、ルーティングパラメータを含有しない、項目６７に記載の方法。
（項目６９）
前記第１の測定レポートを受信することは、
該第１の測定レポートのうちの１つの中で、前記セルに対するインデックスまたは識別子を受信することをさらに含み、
前記第２の測定レポートを該第１の測定レポートと関連付けることは、前記第２の測定レポート形式を使用する受信された各測定レポートについて、該第２の測定レポートの中のインデックスまたは識別子を調査し、該第１の測定レポートの中の該インデックスおよび識別子との合致がある場合に、該第２の測定レポートを該第１の測定レポートと関連付けることを含む、項目６７または６８に記載の方法。
（項目７０）
項目６５〜６９のうちのいずれか１項に記載の方法を実装するように構成される、１つ以上の無線ネットワーク構成要素。
（項目７１）
ネットワーク構成要素によって実行されたときに、項目６５〜６９のうちのいずれか１項に記載の方法を前記ネットワーク構成要素に行わせる、その中に記憶されたコンピュータ実行可能命令を有する、コンピュータ可読媒体。
【００１３】
ここで添付図面を参照して、本開示の実施形態を説明する。
【図面の簡単な説明】
【００１４】
【図１】図１は、測定レポートプロセッサを有する標的セルコントローラと通信している測定レポートジェネレータを有する、移動局の概略図である。
【図２】図２は、移動局によって測定レポートを作成する方法のフローチャートである。
【図３】図３は、移動局によって測定レポートを作成する別の方法のフローチャートである。
【図４】図４は、そのうちのいくつかがルーティングパラメータを含有し、そのうちのいくつかが含有しない、測定レポートのシーケンスの実施例を示す。
【図５】図５は、２つのセルに対するレポートを含む、測定レポートのシーケンスの実施例を示す。
【図６】図６は、移動局によって測定レポートを作成する別の方法のフローチャートである。
【図７】図７は、測定レポートのシーケンスの実施例である。
【図８】図８は、別の移動局のブロック図である。
【発明を実施するための形態】
【００１５】
最初に、本開示の１つ以上の実施形態の例示的実装を以下において提供するが、開示されるシステムおよび／または方法は、現在既知であるか、または既存であるかに関わらず、任意の数の技法を使用して実装されてもよいことを理解されたい。本開示は、本明細書で例示および説明される例示的設計および実装を含む、以下で例示される例示的実装、図面、および技法に決して限定されるべきではないが、同等物の全範囲とともに、添付の請求項の範囲内で修正されてもよい。
【００１６】
不利なことに、ルーティングパラメータの包含は、測定レポートメッセージの中の多くのスペースを占め、報告することができるセルの数を有意に削減する場合がある。
【００１７】
さらに、ネットワークがハンドオーバ試行をトリガするために必要とされる測定レポートの数が、移動局によって認知されていない。一方で、移動局は、ネットワークがハンドオーバを行う可能性がない時に、長期間にわたってＣＳＧセルに対する情報を報告し続けてもよく、この時間の間に、他のセルに対する測定レポートは、例えば、１つだけの他のセルを報告することができる程度に、妨げられ、または厳しく制限される。
【００１８】
ネットワークが、測定レポートを受信していなかったセルへのハンドオーバを開始する可能性が低いため、これは、報告されているＣＳＧセル以外のセルへの（他のＣＳＧセルを含む）ハンドオーバの可能性を厳しく制限する。これはまた、例えば、負荷バランシングの理由で、デバイスを別の好適なセル（例えば、ＵＴＲＡＮまたはＥ−ＵＴＲＡＮセル）へ移動させることを希望する場合に、ネットワークに対する問題を引き起こし得る。
【００１９】
他方で、移動局が早期にＣＳＧセルに対する測定レポートの送信をやめた場合、サービングセルコントローラによって使用される（実装特有の）ハンドオーバアルゴリズムに従って、ハンドオーバをトリガすることが十分ではない場合がある。
【００２０】
いくつかの実施形態では、
ａ）単一のセルに対して送信されるべきであるレポートの最小数、
ｂ）単一のセルに対して送信されるべきであるレポートの最大数、
ｃ）その間に単一のセルに対するレポートを送信する最大時間窓、
ｄ）ルーティングパラメータを含有するべきである最小数のレポート、
ｅ）ルーティングパラメータを含有するべきであるレポートの最大数、
ｆ）どのレポート、およびいくつのレポートがルーティングパラメータを含有するべきか、
のうちの１つ以上を制御するパラメータが定義される。
【００２１】
上記で示されるように、いくつかの既存の測定レポートメッセージは、（部分的に）「周波数インデックス」（０．３１）を使用して、セルを識別し、各周波数インデックスは、物理搬送周波数を表す。インデックスは、ＧＳＭ（登録商標）、ＵＭＴＳ、またはＥ−ＵＴＲＡＮ周波数（のうちの最大でも１つ）に使用されてもよい。物理周波数へのインデックスのマッピングは、移動局によって受信される処理隣接セルリスト（ＮＣＬ）に対する複雑な規則に基づく。
【００２２】
しかしながら、ＣＳＧセルは、（非ＣＳＧセルではなく）ＣＳＧセルのみに使用される周波数を使用してもよい。その様な周波数は、現在の規則に従って周波数インデックスを割り付けられない場合があるため（例えば、その様な周波数が、既存の隣接セルリストに記載されていない、またはインデックスマッピングを構築する時に処理されないため）、その様なレガシー測定レポートを使用して、その様なセルを報告することが可能ではない。
【００２３】
同様に、いくつかの既存の測定レポートメッセージでは、セルは、サービングセルコントローラによって伝送される隣接セル情報に由来する、隣接セルリストへのインデックスを用いて識別される。しかしながら、ＣＳＧセルは、典型的には、その様なリストに含まれず、したがって、対応インデックスを持たない。
【００２４】
いくつかの実施形態では、周波数インデックス（または他のインデックスあるいは識別子）が、ルーティングパラメータを含有しない測定レポートの中の制御されていないセル等のセルを示すために使用される。場合によっては、このインデックスまたは識別子は、ルーティングパラメータを含有する完全測定レポートに含まれる。次いで、周波数インデックス（または他のインデックスあるいは識別子）を使用する測定レポートが、ルーティングパラメータを伴わずに伝送される。インデックスまたは識別子は、隣接セルとの曖昧性がない様なものである。
【００２５】
１つの広範な側面によれば、本願は、セルを検出し、セルに関する信号強度測定を行うステップと、セルに関して、そのセルが、受信した信号の強度および質のうちの少なくとも１つに関する測定報告基準を満たし続ける限り、セルに関する測定レポートを伝送し、セルに関する測定レポート伝送への第１の制約条件が満たされる場合、第１の測定レポート形式を使用するセルに関する測定レポートを伝送することを控えるステップとを含む、方法を提供する。
【００２６】
別の広範な側面によれば、本願は、セルを検出し、セルに関する信号強度測定を行うステップと、セルに関して、第１の測定レポート形式を使用する少なくとも１つの測定レポートを伝送するステップと、セルに関して、第２の測定レポート形式を使用する少なくとも１つの測定レポートを伝送するステップとを含む、方法を提供する。
【００２７】
別の広範な側面によれば、本願は、移動局における方法を提供し、方法は、セルを検出し、セルに関する信号強度測定を行うステップと、移動局が、先行する定義された期間内に報告していなかった、セルに対する測定レポートを送信する場合、少なくとも、測定報告に関する定義された最小値が満たされるまで、セルが適用測定報告基準を満たしている間に、セルに対する測定レポートを伝送し続けるステップとを含む。
【００２８】
別の広範な側面によれば、本願は、無線ネットワークにおける方法を提供し、方法は、測定レポート伝送に関する移動局の挙動を特定する、少なくとも１つのパラメータを無線で伝送するステップを含む。
【００２９】
別の広範な側面によれば、本願は、第１の測定レポート形式を使用して、セルに関する第１の測定レポートを受信するステップと、第２の測定レポート形式を使用して、セルに関する第２の測定レポートを受信するステップと、第２の測定レポートを前記第１の測定レポートと関連付けるステップとを含む、無線ネットワークにおける方法を提供する。
【００３０】
以下で説明される実施形態は全て、セルに関する測定レポートの伝送に関する。以下の詳細な実施形態では、関与しているセルは、制御されていないセルであり、場合によっては、具体的には、セルは、ＣＳＧセルであると呼ばれ、いくつかの実施形態では、方法は、制御されていないセルに特異的に適用される。しかしながら、他の実施形態では、説明される方法は、概して、制御されていないセルであってもなくてもよい、およびＣＳＧセルであってもなくてもよいセルに適用されることを明確に理解されたい。場合によっては、方法は、制御されていないセルまたは特定種類の制御されたセル等の第１の部類のセルに適用され、制御されたセル等の第２の部類のセルには適用されない。
【００３１】
以下の実施形態は、ルーティングパラメータを含有する測定レポートに言及する。より一般的には、ルーティングパラメータを含有する測定レポートへの言及があるときはいつでも、第１の測定レポート形式を使用する測定レポートが意図されている。第１の測定レポート形式の具体的実施例は、ルーティングパラメータを含む形式である。第１の測定レポートの別の実施例は、移動局からの以前の測定レポート伝送に依存することなく、測定レポートが送信されているセルをネットワークが識別することを可能にする形式である。
【００３２】
以下の実施形態は、ルーティングパラメータを含有しない測定レポートを参照する。より一般的には、ルーティングパラメータを含有しない測定レポートへの言及があるときはいつでも、第２の測定レポート形式を使用する測定レポートが意図されている。第２の測定レポート形式の具体的実施例は、ルーティングパラメータを含まない形式である。第２の測定レポートは、隣接セルとの曖昧性を回避するインデックスまたは他の指標を有してもよい。
【００３３】
いくつかの実施形態では、第２の測定レポート形式は、第１の測定レポート形式よりも簡潔な形式である。
【００３４】
図１を参照すると、移動局１０がサービングセル１３内のサービングセル送受信機１２への無線接続を有する概略図が示されている。また、サービングセルコントローラ１４、標的セル１７を有する標的セル送受信機１５、および標的セルコントローラ１６も示されている。当然ながら、コアネットワーク要素１８および他のセルコントローラ２０他のネットワーク要素が存在してもよい。コアネットワーク要素は、例えば、ＳＧＳＮ（サービングＧＰＲＳサポートノード）、ＭＳＣ（移動交換局）、ＭＭＥ（移動度管理エンティティ）のうちの１つ以上を含んでもよい。（送受信機と移動局との間の）無線信号伝達は、典型的には、ＲＬＣ（無線リンク制御）／ＭＡＣ（媒体アクセス制御）層において行われる。ＢＳＳとコアネットワークとの間の信号伝達は、ＲＬＣ／ＭＡＣから分離している。
【００３５】
サービングセルコントローラ１４は、サービングセルコントローラが、本明細書において説明されるサービングセルコントローラ方法のうちの１つまたは２つ以上の組み合わせを行うことを可能にする測定レポートプロセッサ３０によって構成される。測定レポートプロセッサに実装される方法は、以下のうちの１つ以上を含む。
ａ）以下において説明されるパラメータのうちの１つ以上を移動局に信号伝達するステップ。これは、放送信号伝達または移動局特有の信号伝達におけるものとなり得るが、場合によっては、無線信号伝達を必要とすることなく、パラメータが設定され、移動局および（随意で）ネットワークに認知される。
ｂ）２つの異なる測定レポート形式を使用する測定レポートをセルから受信および処理するステップ、例えば、ルーティング情報を含有する測定レポートを受信および処理し、ルーティング情報を含有しない測定レポートを受信および処理するステップ。これは、ルーティング情報を含有しないメッセージの中のセルに対する測定レポートを、ルーティング情報を含有するメッセージの中のセルに対する測定レポートと関連付けるステップを含んでもよい。
ｃ）受信した測定レポートの関数としてハンドオフ制御を行うステップ。
ｄ）例えば、「未使用」または明確な識別子が選択または認識されることを可能にするように、隣接セルおよび／または周波数のリストを受信するステップ。
【００３６】
測定レポートプロセッサ３０は、ハードウェア、プロセッサまたはプロセッサの組み合わせ等の処理プラットフォーム上で作動するソフトウェア、あるいはハードウェアおよびソフトウェアの組み合わせで実装されてもよい。測定レポートプロセッサ３０は、サービングセルコントローラの一部を形成する別の構成要素の一部／変更として実装されてもよい。サービングセルコントローラ１４は、サービングセルコントローラ機能性を果たすことを可能にする他の構成要素（図示せず）を含む。より一般的に、ネットワーク構成要素のうちの１つまたは組み合わせは、測定レポートプロセッサの機能性を含む。
【００３７】
標的セルコントローラ１６は、同様に測定レポートプロセッサ３２によって構成される。標的セルコントローラ１６は、標的セルコントローラ機能性を果たすことを可能にする他の構成要素（図示せず）を含む。
【００３８】
移動局１０は、少なくとも１つのアンテナ２０と、少なくとも１つの無線アクセス通信機２２とを有する。加えて、移動局は、移動局が本明細書において説明される移動局方法のうちの１つまたは２つ以上の組み合わせを行うことを可能にする測定レポートジェネレータ２４によって構成される。測定レポートジェネレータ２４は、ハードウェア、プロセッサまたはプロセッサの組み合わせ等の処理プラットフォーム上で作動するソフトウェア、あるいはハードウェアおよびソフトウェアの組み合わせで実装され得る。測定レポートジェネレータ２４は、移動局の一部を形成する別の構成要素の一部／変更として実装されてもよい。移動局１０は、移動局機能性を果たすことを可能にする他の構成要素（図示せず）を含む。
【００３９】
いくつかの実施形態では、送信すべきセルあたりの測定レポートの最大数（Ｎ＿ｍａｘ）を特定する新しいパラメータが定義され、移動局に知らされる（信号伝達または特定されてもよい）。いくつかの実施形態では、ネットワークが、この値を設定することにより、Ｎ＿ｍａｘ個の測定レポートを受信し、ハンドオーバを開始しないことを決定した場合に、続いて（直後に）そのセルに対するさらなるレポートを受信したとき、ハンドオーバを開始する確率が非常に低くなる。
【００４０】
いくつかの実施形態では、送信するべきセルあたりの測定レポートの最小数Ｎ＿ｍｉｎを特定する新しいパラメータが定義され、移動局に知らされる（信号伝達または特定されてもよい）。いくつかの実施形態では、ネットワークは、この値が、測定レポートの最小数以上となるように設定し、その最小数は、セルがそのハンドオーバトリガアルゴリズムに従ってハンドオーバ試行をトリガするために必要とされる数である。いったん第１の測定レポートが特定のセルに対して送信されると、そのセルに対してレポートをしばらくの間、送信しない後に、そのセルが適切な測定報告基準を満たし続ける場合に、移動局は、同じセルに対して少なくともＮ＿ｍｉｎ−１個のさらなるレポートを送信する（すなわち、合計でＮ＿ｍｉｎ個のレポートを送信する）。
【００４１】
いくつかの実施形態では、Ｎ＿ｍａｘおよびＮ＿ｍｉｎが両方とも使用され、Ｎ＿ｍｉｎ＜＝Ｎ＿ｍａｘである。
【００４２】
いくつかの実施形態では、ルーティングパラメータを含有する、送信されるレポートの最小数Ｎ＿ＲＰ＿ｍｉｎを特定する新しいパラメータが定義され、移動局に知らされる（信号伝達または特定されてもよい）。このパラメータは、ルーティングパラメータを含有する少なくとも１つの測定レポートがネットワークによって受信されることを高い確率で確実にするように設定することができる。
【００４３】
いくつかの実施形態では、Ｎ＿ｍｉｎおよびＮ＿ＲＰ＿ｍｉｎが両方とも使用され、Ｎ＿ｍｉｎ＜＝Ｎ＿ＲＰ＿ｍｉｎである。いくつかの実施形態では、Ｎ＿ｍｉｎおよびＮ＿ＲＰ＿ｍｉｎが両方とも使用され、Ｎ＿ｍｉｎ＜Ｎ＿ＲＰ＿ｍｉｎである。いくつかの実施形態では、Ｎ＿ｍｉｎおよびＮ＿ＲＰ＿ｍｉｎが両方とも使用され、Ｎ＿ｍｉｎ＞Ｎ＿ＲＰ＿ｍｉｎである。
【００４４】
いくつかの実施形態では、Ｎ＿ＲＰ＿ｍｉｎおよびＮ＿ｍａｘが両方とも使用され、Ｎ＿ＲＰ＿ｍｉｎ＜＝Ｎ＿ｍａｘである。Ｎ＿ＲＰ＿ｍｉｎおよびＮ＿ｍａｘの両方が使用される、いくつかの実施形態では、Ｎ＿ＲＰ＿ｍｉｎは、Ｎ＿ｍａｘ未満である。
【００４５】
いくつかの実施形態では、Ｎ＿ｍｉｎ、Ｎ＿ＲＰ＿ｍｉｎ、Ｎ＿ｍａｘが全て使用される。
【００４６】
別の実施形態では、測定レポートは、ルーティングパラメータを含有するか、または含有しないレポートについての定義されたシーケンスに従って伝送される。このシーケンスは、移動局およびネットワークの両方に認知されている。第１の実施例では、少なくともパラメータＮ＿ｍａｘが使用され、一組のＮ＿ｍａｘ個のメッセージのうちの最初の２つ（より一般的には最初のＮ個）のメッセージが、ルーティングパラメータを含有し、残りのメッセージは含有しない。第２の実施例では、Ｎ番目のメッセージが、ルーティングパラメータを含有し、残りのメッセージは含有しない。第３の実施例では、少なくともパラメータＮ＿ｍｉｎが使用され、第１およびＮ＿ｍｉｎ番目のメッセージが、ルーティングパラメータを含有する。いくつかの実施形態では、シーケンスの中の少なくとも第１のメッセージが、全ルーティングパラメータを含有する。
【００４７】
いくつかの実施形態では、パラメータＮ＿ｍａｘが使用され、いったんＮ＿ｍａｘ個のレポートのシーケンスが送信されると、移動局は、特定の期間にわたって、そのセルに対するルーティングパラメータを含有する測定レポートを送信することを禁止され、移動局は、そのセルに対する（ルーティングパラメータを除外する）レポートを含み続け得、この期間の後に、移動局は最初から手順を繰り返し得る。
【００４８】
いくつかの実施形態では、パラメータＮ＿ｍａｘが使用され、いったんＮ＿ｍａｘ個のレポートのシーケンスが送信されると、移動局は、特定の期間にわたって、そのセルを報告することを完全に控える。
【００４９】
いくつかの実施形態では、測定レポートの伝送を制約するための条件のうちの１つ以上は、部分的に、単一の測定レポートメッセージで測定報告基準を満たす全てのセルを報告することが可能ではないことを含む。単一の測定レポートメッセージで測定報告基準を満たす全てのセルを報告することが可能である場合、所与のセルに関する測定レポートを送信することを控える必要はない。
【００５０】
ここで図２を参照すると、図１の移動局１０または図８の移動局１００等であるが、それらに限定されない移動局による実行のための方法のフローチャートが示されている。ブロック２−１において、移動局がセルを検出し、セルに関する信号強度測定を行う。ブロック２−２において、セルに関して、そのセルが、受信した信号の強度および質のうちの少なくとも１つに関する測定報告基準を満たし続ける限り、移動局が、セルに関する測定レポートを伝送し、セルに関する測定レポート伝送への第１の制約条件が満たされる場合に、移動局が、第１の測定レポート形式を使用して、セルに関する測定レポートを伝送することを控える。「制約条件」が満たされる場合に、さらなる測定レポート伝送への何らかの制約をもたらす条件であると見なされ、この場合、制約は、移動局が、第１の測定レポートを使用して測定レポートを伝送することを控えることであり、その様なものとして、制限的制約であり、以下で説明される他の場合においては、制約は、測定レポートの時間または数に関する最小値を設定する。
【００５１】
本明細書において説明される、この実施形態および他の実施形態では、セルに関する測定レポートの伝送は、測定レポートが、少なくともそのセルに対する測定値を含有することを意味する。これは、測定レポートに使用される形式／サイズがこれに適応すると仮定して、別のセルまたは複数のセルに対する測定値を含有する同じ測定レポートを除外しない。
【００５２】
ここで図３を参照すると、図１の移動局１０または図８の移動局１００等であるが、それらに限定されない移動局による実行のための方法のフローチャートが示されている。ブロック３−１において、移動局が、セルを検出し、セルに関する信号強度測定を行う。ブロック３−２において、移動局が、先行する定義された期間内に報告していなかった、セルに対する測定レポートを送信する場合、少なくとも、測定報告に関する定義された最小値が満たされるまで、セルが適用測定報告基準を満たしている間、移動局がセルに対する測定レポートを伝送し続ける。
【００５３】
図４は、Ｎ＿ｍｉｎ＝５、Ｎ＿ｍａｘ＝７、およびＮ＿ＲＰ＿ｍｉｎ＝２であり、第１およびＮ＿ｍｉｎ番目の測定レポートがルーティングパラメータを含有するものであるように定義されたシーケンスが使用される、測定レポートのシーケンスの詳細な実施例を示す。この実施例では、第１および第５の測定レポートが、ルーティングパラメータを含有し、第２、第３、第４、第６、および第７の測定レポートが、ルーティングパラメータを含有せず、次の測定レポートが、そのセルに対するレポートを含有しないことが分かる。
【００５４】
いくつかの実施形態では、最大数（Ｎ＿ｍａｘ）を使用するよりもむしろ、最大持続時間が特定される。いくつかの実施形態では、最小数Ｎ＿ｍｉｎを使用するよりもむしろ、最短持続時間が特定される。これは、例えば、測定レポートが固定周期性で送信されないシナリオで適切であってもよい。
【００５５】
２つ以上のパラメータが使用される、いくつかの実施形態では、パラメータのうちの１つ以上が、他のパラメータのうちの１つ以上の関数として定義される。Ｎ＿ｍｉｎおよびＮ＿ｍａｘが使用される具体的実施例において、Ｎ＿ｍｉｎをＮ＿ｍｉｎ＝Ｎ＿ｍａｘ−２として特定することができる。これは、無線信号伝達を使用してパラメータが定義される場合において、全てのパラメータを特定する信号伝達量を削減してもよい。
【００５６】
ルーティング情報を含有する、および含有しない、測定レポートの定義されたシーケンスが採用される、いくつかの実施形態では、測定レポートのうちの少なくともいくつかは、「シーケンス」の中のどこにそれらがあるかという指標を含有する。これは、例えば、ルーティングパラメータを含む測定レポートのみに含まれてもよい。これは、復号できなかった測定レポートの場合に、ネットワークがシーケンスを再構築することを可能にしてもよい。例えば、ネットワークが、そのセルに対するシーケンスの中の第４のレポートであることを示すレポートを受信する場合、ネットワークは、たとえ第１のその様な測定レポートが受信されていない場合があっても、セルが３つの以前のレポートの中で報告され、したがって、第１の測定レポートが送信されたことを結論付けることができるため、持続時間にわたって報告基準を満たしていたことを判定することができる。
【００５７】
いくつかの実施形態では、少なくとも１つの測定レポートについて、測定レポートは、測定レポートが測定レポートのシーケンスの中にある場所についての指示を含む。この場合、測定レポートのシーケンスは、必ずしも、ルーティングパラメータを含有および含有しない、レポートの定義されたシーケンスではない。
【００５８】
ネットワークは、セルに関するルーティングパラメータを含有する測定レポートを、そのセルに対するルーティングパラメータを含有しない他の測定レポートと関連付けることができる。いくつかの実施形態では、ネットワークが、ルーティングパラメータを含有しない測定レポートを、ルーティングパラメータを含有する測定レポートで完全に識別されているセルと完全に関連付けることを可能にするために、インデックスまたは識別子が移動局によって使用される。このインデックスまたは識別子は、例えば、ルーティングパラメータを含有する測定レポートに含まれてもよい。これは、ルーティングパラメータを含有するレポートと、ルーティングパラメータを含有しない同じセルのレポートとの間のリンクを提供する。このインデックスまたは識別子は、例えば、周波数、スクランブル用コード等の物理層パラメータに関する。
【００５９】
いくつかの実施形態では、ルーティングパラメータを含有しない測定レポートは、既存の測定レポートメッセージ形式を使用する（識別が、これらのメッセージの中の既存の物理層パラメータ内に収まる、またはＣＳＧセルに対するレポートを含むことが、非ＣＳＧセルを報告するために必要とされるよりも多くのスペースを必要としないように、ＣＳＧセルと同じまたは異なる無線アクセス技術を使用して、非ＣＳＧセルが動作することを意味する）。
【００６０】
いくつかの実施形態では、１つのＣＳＧセルに対するルーティングパラメータを含む、測定レポートは、２つのＣＳＧセルの同時報告が可能であるように、別のＣＳＧセルに対するルーティングパラメータを含有しない、別の測定レポートに適応することができる。この実施例は、図５に描写されており、図４で描写されたのと同じ報告シーケンスが各セルに使用され、すなわち、合計７つの測定レポートに対して、ルーティングパラメータを含有する第１のレポート、ルーティングパラメータを含有しない３つのレポート、ルーティングパラメータを含有する別のレポート、およびルーティングパラメータを含有しない２つ以上のレポートである。図５で描写されるイベントのシーケンスは、以下の通りである。
ａ）移動局が、セル＃１を検出し、システム情報を取得する。
ｂ）移動局が、セル＃１に対するルーティングパラメータを含有する測定レポートを伝送する。
ｃ）移動局が、セル＃２を検出し、システム情報を取得する。
ｄ）移動局が、セル＃２に対するルーティングパラメータ、およびセル＃１に対するレポートのみを含有する（すなわち、ルーティングパラメータがない）測定レポートを伝送する。
ｅ）移動局が、セル＃１およびセル＃２に対するレポートのみを含有する（すなわち、ルーティングパラメータがない）測定レポートを伝送する。
ｆ）移動局が、セル＃１およびセル＃２に対するレポートのみを含有する（すなわち、ルーティングパラメータがない）別の測定レポートを伝送する。
ｇ）移動局が、セル＃１に対するルーティングパラメータ、およびセル＃２に対するレポートのみを含有する（すなわち、ルーティングパラメータがない）測定レポートを伝送する。
ｈ）移動局が、セル＃２に対するルーティングパラメータ、およびセル＃１に対するレポートのみを含有する（すなわち、ルーティングパラメータがない）測定レポートを伝送する。
ｉ）移動局が、セル＃１およびセル＃２に対するレポートのみを含有する（すなわち、ルーティングパラメータがない）別の測定レポートを伝送する。
ｊ）移動局が、セル＃２に対するレポートのみを含有する（すなわち、ルーティングパラメータがない）測定レポートを伝送する。
【００６１】
以下は、Ｎ＿ＣＳＧ＿ＲＥＰＯＲＴＳ＿ＭＡＸがＮ＿ｍａｘの実施例であり、Ｎ＿ＣＳＧ＿ＲＥＰＯＲＴＳ＿ＦＵＬＬ＿ＭＡＸがＮ＿ＲＰ＿ｍａｘの実施例であり、Ｎ＿ＣＳＧ＿ＲＥＰＯＲＴＳ＿ＭＩＮがＮ＿ｍｉｎの実施例である、詳細な実施例である。
ａ）Ｎ＿ＣＳＧ＿ＲＥＰＯＲＴＳ＿ＭＡＸがネットワークによって信号伝達される場合、移動局は、測定された１つ／複数の数量の値にかかわらず、定義された秒数（例えば、６０秒）の期間で、Ｎ＿ＣＳＧ＿ＲＥＰＯＲＴＳ＿ＭＡＸ回以上、同じＣＳＧセルに対する測定レポートを伝送しないものとする。
ｂ）ルーティングパラメータを含有する、少なくとも２つ（または２つよりも少ない数が送信される場合は全て）であるが、Ｎ＿ＣＳＧ＿ＲＥＰＯＲＴＳ＿ＦＵＬＬ＿ＭＡＸ以下の測定レポートが、任意の定義された（例えば、６０秒）期間で、同じＣＳＧセルに対して送信されるものとする。
ｃ）移動局が、最後の定義された期間（例えば、６０秒）内に報告していなかった、ＣＳＧセルに対する測定レポートを送信する場合、そのレポートにルーティングパラメータを含み、セルが適用測定報告基準を満たしている間に、（例えば、３０秒等の次の定義された期間内に）同じセルに対する少なくともさらにＮ＿ＣＳＧ＿ＲＥＰＯＲＴＳ＿ＭＩＮ−１のレポートを送信するものとし、そのうちの最後は、ルーティングパラメータを含むものとする。
【００６２】
いくつかの実施形態では、ａ）のみが実装される。いくつかの実施形態では、ｂ）のみが実装される。いくつかの実施形態では、ｃ）のみが実装される。いくつかの実施形態では、ａ）およびｂ）が実装される。いくつかの実施形態では、ａ）およびｃ）が実装される。いくつかの実施形態では、ｂ）およびｃ）が実装される。いくつかの実施形態では、ａ）、ｂ）、およびｃ）が実装される。
【００６３】
いくつかの実施形態では、Ｎ＿ＣＳＧ＿ＲＥＰＯＲＴＳ＿ＭＡＸおよびＮ＿ＣＳＧ＿ＲＥＰＯＲＴＳ＿ＭＩＮは、同じ値であってもよい。
【００６４】
いくつかの実施形態では、Ｎ＿ＣＳＧ＿ＲＥＰＯＲＴＳ＿ＭＡＸ、Ｎ＿ＣＳＧ＿ＲＥＰＯＲＴＳ＿ＦＵＬＬ＿ＭＡＸ、およびＮ＿ＣＳＧ＿ＲＥＰＯＲＴＳ＿ＭＩＮは、放送システム情報の中で（例えば、システム情報型２ｑｕａｔｅｒ、および／または測定情報メッセージの中で、および／またはパケット測定命令メッセージの中で）伝送される。
【００６５】
（ルーティングパラメータを含有しない測定レポートを伝送するための種々のオプション）
ここで図６を参照すると、図１の移動局１０または図８の移動局１００等であるが、それらに限定されない移動局による、実行のための方法のフローチャートが示されている。ブロック６−１において、移動局は、セルを検出し、セルに関する信号強度測定を行う。ブロック６−２において、セルに関して、移動局は、第１の測定レポート形式を使用して、少なくとも１つの測定レポートを伝送する。ブロック６−３において、セルに関して、移動局は、第２の測定レポート形式を使用して、少なくとも２つの測定レポートを伝送する。以前に示されたように、場合によっては、第１の測定レポート形式は、ルーティングパラメータを含むものであり、第２の測定レポート形式は、ルーティングパラメータを含まないものである。
【００６６】
ルーティングパラメータがない、制御されていないセルに関する測定レポートは、常に、ルーティングパラメータを含有する他の測定レポートとの関連で送信される。ネットワークは、２種類のレポートを同じセルに関連づけることができる。これにより、ルーティングパラメータを含有しない測定レポートに使用されるインデックス（周波数インデックス等）または他の識別子が、ネットワークまたは移動局に事前に知らされる必要も、それが現在使用されていない必要もない。
【００６７】
いくつかの実施形態では、使用されるインデックスまたは他の識別子は、ルーティングパラメータを含む測定レポートを送信する時に移動局によって設定され、インデックスまたは他の識別子は、ルーティングパラメータを含む測定レポートに含まれる。
【００６８】
いくつかの実施形態では、周波数インデックスおよびＰＣＩ／ＰＳＣの組み合わせを符号化するために使用されるビットシーケンスが、任意の他の隣接セルに使用されないならば、移動局は、任意の周波数インデックス（より一般的には任意のインデックスまたは識別子）（ＧＳＭ（登録商標）周波数インデックスを含む）を選択することを許可される。
【００６９】
このアプローチの実施例は、図７を参照して説明される。７−１において、移動局が、セルに関するシステム情報等を取得し、この場合、セルは、ＰＣＩ＝３４、およびＦｒｅｑｕｅｎｃｙ（ＥＡＲＦＣＮ）＝３を有する、ＣＳＧセル＃１である。移動局は、ＰＣＩ＝３４、およびＦｒｅｑｕｅｎｃｙ（ＥＡＲＦＣＮ）＝３を有するＣＳＧセル＃１を、これが任意の他の隣接セルによって使用されていないことを判定した後、周波数インデックス１、ＰＣＩ＝３４にマップする。７−２において、移動局が、ルーティングパラメータを含有する測定レポート、ならびにルーティングパラメータを含有しない測定レポートの中でセルを後に識別するために使用される（複数の）物理層識別子および／または１つあるいは複数のインデックス、この場合、周波数インデックス＝１、ＰＣＩ＝３４を伝送する。７−３において、移動局が再び、ルーティングパラメータを含有する測定レポート、およびこれらの識別子を伝送する。７−４、７−５、７−６のそれぞれにおいて、移動局が、マップした識別情報（周波数インデックス１、ＰＣＩ＝３４）を含有し、ルーティングパラメータを含有しない、それぞれの測定レポートを伝送する。
【００７０】
ＧＳＭ（登録商標）周波数またはＵＭＴＳ周波数のインデックスを使用することの１つの利益は、ａ）ＧＳＭ（登録商標）  ＣＳＧセルがなく、ｂ）ＧＳＭ（登録商標）およびＵＭＴＳ隣接（非ＣＳＧ）セルが隣接セルリストに明示的に記載されている一方で、Ｅ−ＵＴＲＡＮセルが記載されていないため、混乱を最少化することであり、したがって、おそらくＭＳには認知されていないが、ネットワークには認知されている、同じＰＣＩ／周波数を伴うマクロ（非ＣＳＧ）Ｅ−ＵＴＲＡＮセルが近傍にあってもよい。
【００７１】
いくつかの実施形態では、インデックスが、削減された一組のインデックスに属さなければならないことが特定される。有利なことに、これは、ルーティングパラメータを含有する測定レポートの中のインデックスを特定するために必要とされる信号伝達量を低減する。例えば、インデックスは、最初の４／８／１６の周波数インデックスに由来するように特定される場合があり（ＧＳＭ（登録商標）周波数がゼロから始まって徐々に上がる一方で、Ｅ−ＵＴＲＡＮ／ＵＴＲＡＮ周波数は３１から始まって後方に進むため、ＧＳＭ（登録商標）インデックスが使用された可能性を高くすることに留意する）、次いで、（それぞれ）２／３／４ビットのみが、（ルーティングパラメータを含有する）完全レポートの中でマッピングを信号伝達する時に必要とされる。
【００７２】
このアプローチのさらなる利益は、ＰＣＩ／ＰＳＣ（物理層セル識別子／一次スクランブル用コード）混乱がＭＳによって検出された（すなわち、２つのＣＳＧセルが同じ物理層パラメータを使用して動作している）場合、移動局は、（たとえ同じ物理パラメータを使用していても）２つのセルに対する異なる識別子を使用することができ、それにより、ルーティングパラメータを含有しないメッセージの区別を可能にする。物理周波数が、同一の物理層パラメータを使用するセルの同時報告を可能にする対応インデックスを持たない（例えば、非ＣＳＧセルによっても使用されるため）時でさえも、特定のインデックスへの明示的なマッピングを使用することができる。
【００７３】
移動局が、ルーティングパラメータを含有する、および含有しないレポートの定義されたシーケンスを使用して、測定レポートを伝送する、いくつかの実施形態では、マッピングは、所与の「シーケンス」内で（すなわち、最大でＮ＿ｍａｘのレポートまで）移動局によって有効であると見なされる。それに対応して、マッピングは、第１のレポートがルーティングパラメータを含有するレポートで使用された後に、（最大でも）Ｎ＿ｍａｘの測定レポートのみに有効であるとネットワークによって見なされるべきである。しかしながら、シーケンス番号または他の「シーケンスの中の位置」指標が使用される場合、ネットワークは、例えば、第１のレポートが失われた／誤って復号された場合において、より正確にマッピングを削除できてもよい。
【００７４】
一般に、いくつかの実施形態では、移動局は、（周波数インデックス、隣接セルリストへのインデックス、基地局識別コード（ＢＳＩＣ）、セル識別等の）既存の測定レポートメッセージの中でセルを識別するために通常使用されるパラメータを用いて、ＣＳＧセルを識別する手段を選択し、ルーティングパラメータを省略するが、これらのパラメータを用いてセルを識別する、第２の形式で測定レポートを送信する。いくつかの実施形態では、選択されたパラメータは、制御された（例えば、非ＣＳＧ）セルに対応しない、またはそれと間違えられるはずがない。いくつかの実施形態では、移動局は、加えて（場合によっては最初に）、第１の測定レポート形式で、ルーティングパラメータとともに選択されたパラメータのある一部または全てを信号伝達する。いくつかの他の実施形態では、特に、選択されたパラメータが、これらが第２の測定レポート形式で使用される時にセルの識別に関して曖昧性がない、または報告されたセルがＣＳＧセルであるという事実に関して曖昧性がない様なものである場合に、選択されたパラメータは、ルーティングパラメータとともに送信されない。選択されたパラメータは、ＣＳＧセルと同じ無線アクセス技術または異なる無線アクセス技術を使用して、セルに適用可能であってもよい。
【００７５】
（未使用の周波数インデックスを使用すること）
代替的なアプローチは、事前にＭＳおよびネットワークの両方によって決定することができる、（他では）未使用の周波数インデックス（より一般的にはインデックスまたは識別子）を使用することである。具体的実施例では、未使用の周波数インデックスは、他では使用されていない最低インデックスである。次いで、これは、ルーティングパラメータを伴う完全レポートで明示的に識別される必要なく（それにより、以前の実施例と比較して、いくらかのスペースを節約する）、ＣＳＧセルの全ての後続の「レポートのみ」の報告に使用することができる。移動局が一度に１つのＣＳＧセルについて方向するのみである場合、ネットワークは、２つの間の明示的なマッピングの欠如にもかかわらず、その様なレポートを、ルーティングパラメータを含有する測定レポートで識別されるセルをと関連付けることができるようになる。これの不利点は、ＰＣＩ／ＰＳＣ混乱が観察された場合、セルに対する完全ルーティングパラメータを報告することなく、ＭＳがこれをネットワークに示す方法がないことである。
【００７６】
いくつかの実施形態では、少なくとも２つのインデックスが、ＵＴＲＡＮ／Ｅ−ＵＴＲＡＮ  ＣＳＧセルを区別するために使用される。より一般的に、いくつかの実施形態では、それぞれのインデックスが、各種類の制御されていないセルのそれぞれに使用される。
【００７７】
ルーティングパラメータを含まないＣＳＧセルに対する測定レポートの別の具体的実施例は、（ＭＥＡＳＵＲＥＭＥＮＴ  ＲＥＰＯＲＴの場合）ＢＳＩＣ−ＮＣＥＬＬパラメータおよび周波数インデックス（ＢＣＣＨ−ＦＲＥＱ−ＮＣＥＬＬ）値によるＣＳＧセルの識別を伴う。移動局は、そのセルに対するルーティングパラメータを含有する測定レポートの中でセルを識別するために使用されるこれらのパラメータの値を示す。
【００７８】
ルーティングパラメータを含まないＣＳＧセルに対する測定レポートの別の具体的実施例は、隣接セルリストインデックスによるＣＳＧセルの識別を伴う（第３．４．１．２．１．３項を参照）（強化測定報告が使用される場合、ＰＡＣＫＥＴ  ＥＮＨＡＮＣＥＤ  ＭＥＡＳＵＲＥＭＥＮＴ  ＲＥＰＯＲＴについてを含んで、３ＧＰＰ  ＴＳ  ４４．０６０を参照）。移動局は、そのセルに対するルーティングパラメータを含有する測定レポートの中でセルを識別するために使用される、これらのパラメータの値を示す。
【００７９】
ルーティングパラメータを含まないＣＳＧセルに対する測定レポートの別の具体的実施例は、ＦＲＥＱＵＥＮＣＹ＿ＮおよびＢＳＩＣ＿ＮによるＣＳＧセルの識別を伴う（ＰＡＣＫＥＴ  ＭＥＡＳＵＲＥＭＥＮＴ  ＲＥＰＯＲＴメッセージについては、３ＧＰＰ  ＴＳ  ４４．０６０を参照）。移動局は、そのセルに対するルーティングパラメータを含有する測定レポートの中でセルを識別するために使用される、これらのパラメータの値を示す。
【００８０】
移動局は、それぞれに対する異なるパラメータを示すことによって、同じ物理層識別子を使用する２つのセルについて同時に報告してもよい。一般に、移動局は、選択された値が、いずれの曖昧性ももたらさない（言い換えれば、組み合わせがＧＳＭ（登録商標）または３Ｇ隣接セルリストの中の隣接セルに対応するべきではない）ことを確実にする責任がある。
【００８１】
送信する測定レポートの数への最小制約を課する、いくつかの実施形態では、ネットワークは、デバイスの移動度（したがって、例えば、デバイスがセルの受信可能範囲からすぐに出る可能性が高いかどうか）を推定してもよい。
【００８２】
ルーティングパラメータが少なくとも２回送信される、いくつかの実施形態では、これは、ネットワークがハンドオーバをトリガすることを希望するが、ルーティングパラメータを受信していない可能性を最少化／低減してもよい。
【００８３】
いくつかの実施形態では、ネットワークは（初めてルーティングパラメータを受信したと仮定して）、全ての測定レポートが送信される前にハンドオーバをトリガできるようになる。
【００８４】
いくつかの実施形態は、いずれのハンドオーバも起こらないセルに対する測定レポートを移動局が繰り返し送信することを回避してもよい。
【００８５】
いくつかの実施形態は、ルーティングパラメータ伝送信頼性と、同時に他のセルを報告する（したがって他のセルへのハンドオーバを可能にする）可能性との間のトレードオフを可能にする。
【００８６】
ここで図８を参照すると、本開示で説明される移動局実装方法のうちの１つまたは組み合わせを行うように構成される、別の移動局１００のブロック図が示されている。移動局１００は、図１の移動局１０の測定レポートジェネレータ２４の特徴と同様の特徴を実装するための測定レポートジェネレータ１０１とともに示されている。移動局１００は、例示的な目的のみで、非常に具体的な詳細とともに示されていることを理解されたい。
【００８７】
処理デバイス（マイクロプロセッサ１２８）が、キーボード１１４とディスプレイ１２６との間に連結されるものとして概略的に示されている。マイクロプロセッサ１２８は、ユーザによるキーボード１１４上のキーの作動に応答して、ディスプレイ１２６の動作、ならびに移動局１００の全体的動作を制御する。
【００８８】
移動局１００は、垂直に細長くてもよく、または他のサイズおよび形状（クラムシェル筐体構造を含む）を帯びてもよい。キーボード１１４は、モード選択キー、またはテキスト入力と電話入力との間で切り替えるための他のハードウェアあるいはソフトウェアを含んでもよい。
【００８９】
マイクロプロセッサ１２８に加えて、移動局１００の他の部分が概略的に示されている。これらは、一組のＬＥＤ１０４、一組の補助入出力デバイス１０６、シリアルポート１０８、スピーカ１１１、およびマイクロホン１１２を含む、他の入出力デバイスともに、通信サブシステム１７０、短距離通信サブシステム１０２、キーボード１１４およびディスプレイ１２６、ならびにフラッシュメモリ１１６およびランダムアクセスメモリ（ＲＡＭ）１１８を含むメモリデバイス、および他のデバイスサブシステム１２０を含む。移動局１００は、移動局１００の能動要素に電力供給するようにバッテリ１２１を有してもよい。移動局１００は、いくつかの実施形態では、音声およびデータ通信能力を有する、双方向無線周波数（ＲＦ）通信デバイスである。加えて、移動局１００は、いくつかの実施形態では、インターネットを介して他のコンピュータシステムと通信する能力を有する。
【００９０】
マイクロプロセッサ１２８によって実行されるオペレーティングシステムソフトウェアは、いくつかの実施形態では、フラッシュメモリ１１６等の持続的記憶部の中に記憶されるが、読み出し専用メモリ（ＲＯＭ）または同様の記憶要素等の他の種類のメモリデバイスに記憶されてもよい。加えて、システムソフトウェア、特定のデバイスアプリケーション、またはそれらの複数部分が、ＲＡＭ１１８等の揮発性記憶部に一時的にロード搭載されてもよい。移動局１００によって受信される通信信号もまた、ＲＡＭ１１８に記憶されてもよい。
【００９１】
マイクロプロセッサ１２８は、そのオペレーティングシステム機能に加えて、移動局１００上のソフトウェアアプリケーションの実行を可能にする。音声通信モジュール１３０Ａおよびデータ通信モジュール１３０Ｂ等の基本的デバイス動作を制御する所定の一組のソフトウェアアプリケーションが、製造中に移動局１００上にインストールされてもよい。加えて、個人情報マネージャ（ＰＩＭ）アプリケーションモジュール１３０Ｃもまた、製造中に移動局１００上にインストールされてもよい。ＰＩＭアプリケーションは、いくつかの実施形態では、Ｅメール、カレンダーイベント、音声メール、約束、およびタスク項目等のデータ項目を組織化および管理することが可能である。ＰＩＭアプリケーションはまた、いくつかの実施形態では、無線ネットワーク１１０を介してデータ項目を送受信することが可能である。いくつかの実施形態では、ＰＩＭアプリケーションによって管理されるデータ項目は、デバイスユーザの対応データ項目がホストコンピュータシステムに記憶された、または関連付けられた状態で、無線ネットワーク１１０を介して、継ぎ目なく統合、同期化、および更新される。同様に、別のソフトウェアモジュール１３０Ｎとして図示される、付加的なソフトウェアモジュールが製造中にインストールされてもよい。
【００９２】
データおよび音声通信を含む、通信機能が、通信サブシステム１７０を通して、およびおそらく短距離通信サブシステム１０２を通して果たされる。通信サブシステム１７０は、受信機１５０と、伝送機１５２と、受信アンテナ１５４および伝送アンテナ１５６として図示される１つ以上のアンテナとを含む。加えて、通信サブシステム１７０はまた、デジタル信号プロセッサ（ＤＳＰ）１５８および局部発振器（ＬＯ）１６０等の処理モジュールも含む。通信サブシステム１７０の具体的な設計および実装は、移動局１００が動作することを目的としている、通信ネットワークに依存している。例えば、移動局１００の通信サブシステム１７０は、ＭｏｂｉｔｅｘＴＭ、ＤａｔａＴＡＣＴＭ、または汎用パケット無線サービス（Ｇｅｎｅｒａｌ  Ｐａｃｋｅｔ  Ｒａｄｉｏ  Ｓｅｒｖｉｃｅ／ＧＰＲＳ）移動データ通信ネットワークとともに動作するように設計されてもよく、また、高度携帯電話サービス（Ａｄｖａｎｃｅｄ  Ｍｏｂｉｌｅ  Ｐｈｏｎｅ  Ｓｅｒｖｉｃｅ／ＡＭＰＳ）、時分割多重アクセス（Ｔｉｍｅ  Ｄｉｖｉｓｉｏｎ  Ｍｕｌｔｉｐｌｅ  Ａｃｃｅｓｓ／ＴＤＭＡ）、符号分割多重アクセス（Ｃｏｄｅ  Ｄｉｖｉｓｉｏｎ  Ｍｕｌｔｉｐｌｅ  Ａｃｃｅｓｓ／ＣＤＭＡ）、個人通信サービス（Ｐｅｒｓｏｎａｌ  Ｃｏｍｍｕｎｉｃａｔｉｏｎｓ  Ｓｅｒｖｉｃｅ／ＰＣＳ）、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ／ＧＳＭ（登録商標））等の種々の音声通信ネットワークのうちのいずれかとともに動作するように設計されてもよい。ＣＤＭＡの実施例は、１Ｘおよび１ｘ  ＥＶ−ＤＯを含む。通信サブシステム１７０はまた、８０２．１１  Ｗｉ−Ｆｉネットワーク、および／または８０２．１６  ＷｉＭＡＸネットワークとともに動作するように設計されてもよい。別個および統合の両方である、他の種類のデータおよび音声ネットワークもまた、移動局１００とともに利用されてもよい。
【００９３】
ネットワークアクセスは、通信システムの種類に応じて異なってもよい。例えば、ＭｏｂｉｔｅｘＴＭおよびＤａｔａＴＡＣＴＭネットワークにおいて、移動局は、各デバイスと関連付けられる個人識別番号（ＰＩＮ）を使用して、ネットワーク上に登録される。しかしながら、ＧＰＲＳネットワークでは、ネットワークアクセスは、典型的には、デバイスの加入者またはユーザと関連付けられる。したがって、ＧＰＲＳデバイスは、典型的には、ＧＰＲＳネットワーク上で動作するために、一般的に加入者識別モジュール（ＳＩＭ）カードと呼ばれる、加入者識別モジュールを有する。
【００９４】
ネットワーク登録または起動手順が完了した時に、移動局１００は、通信ネットワーク１１０上で通信信号を送受信してもよい。受信アンテナ１５４によって通信ネットワーク１１０上から受信される信号は、信号増幅、周波数下方変換、フィルタリング、チャネル選択等を提供し、また、アナログ・デジタル変換を提供してもよい、受信機１５０へ送られる。受信した信号のアナログ・デジタル変換は、ＤＳＰ１５８が、復調および復号等のより複雑な通信機能を果たすことを可能にする。同様に、ネットワーク１１０に伝送される信号が、ＤＳＰ１５８によって処理（例えば、変調および符号化）され、次いで、デジタル・アナログ変換、周波数上方変換、フィルタリング、増幅、および伝送アンテナ１５６を介した通信ネットワーク１１０（または複数のネットワーク）への伝送のために、伝送機１５２に提供される。
【００９５】
通信信号を処理することに加えて、ＤＳＰ１５８は、受信機１５０および伝送機１５２の制御を提供する。例えば、受信機１５０および伝送機１５２において通信信号に印加される利得は、ＤＳＰ１５８で実装される自動利得制御アルゴリズムを使用して、適応的に制御されてもよい。
【００９６】
データ通信モードにおいて、テキストメッセージまたはウェブページダウンロード等の受信した信号が、通信サブシステム１７０によって処理され、マイクロプロセッサ１２８に入力される。次いで、受信した信号は、ディスプレイ１２６へ、または代替として何らかの他の補助入出力デバイス１０６への出力のために、マイクロプロセッサ１２８によってさらに処理される。デバイスユーザはまた、キーボード１１４および／またはタッチパッド、ロッカースイッチ、サムホイール、あるいは何らかの他の種類の入力デバイス等の何らかの他の補助入出力デバイス１０６を使用して、Ｅメールメッセージ等のデータ項目を作成してもよい。次いで、作成されたデータ項目は、通信サブシステム１７０を介して、通信ネットワーク１１０上で伝送されてもよい。
【００９７】
音声通信モードにおいて、受信した信号がスピーカ１１１に出力され、伝送するための信号がマイクロホン１１２によって生成されることを除いて、デバイスの全体的動作は、データ通信モードと実質的に同様である。音声メッセージ録音サブシステム等の代替的な音声またはオーディオ入出力サブシステムもまた、移動局１００上に実装されてもよい。加えて、ディスプレイ１２６はまた、例えば、発呼者の識別、音声通話の持続時間、または他の音声通話関連情報を表示するために利用され得る。
【００９８】
短距離通信サブシステム１０２は、移動局１００と、必ずしも同様のデバイスである必要はない、他の近接システムまたはデバイスとの間の通信を可能にする。例えば、短距離通信サブシステムは、同様に使用可能なシステムおよびデバイスとの通信を提供するように、赤外線デバイスならびに関連回路および構成要素、またはＢｌｕｅｔｏｏｔｈ（登録商標）ＴＭ通信モジュールを含んでもよい。
【００９９】
また、移動局は、ＣＳ（回路交換）ならびにＰＳ（パケット交換）通信の両方に従事することができ、連続性を失わずに１つの通信モードから別の通信モードへ移行することができるように、複数モードで動作することが可能な場合があることに留意されたい。他の実装が可能である。
【０１００】
完全にするために、以下の２つの文書を参照する。
３ＧＰＰ  ＴＳ  ４４．０６０  ｖ．９．３．０  “Ｇｅｎｅｒａｌ  Ｐａｃｋｅｔ  Ｒａｄｉｏ  Ｓｅｒｖｉｃｅ  （ＧＰＲＳ）；
Ｍｏｂｉｌｅ  Ｓｔａｔｉｏｎ  （ＭＳ）−Ｂａｓｅ  Ｓｔａｔｉｏｎ  Ｓｙｓｔｅｍ  （ＢＳＳ）  ｉｎｔｅｒｆａｃｅ；
Ｒａｄｉｏ  Ｌｉｎｋ  Ｃｏｎｔｒｏｌ  ／  Ｍｅｄｉｕｍ  Ａｃｃｅｓｓ  Ｃｏｎｔｒｏｌ  （ＲＬＣ／ＭＡＣ）  ｐｒｏｔｏｃｏｌ
（Ｒｅｌｅａｓｅ  ９）”
３ＧＰＰ  ＴＳ  ４４．０１８  ｖ．９．４．０  “Ｍｏｂｉｌｅ  ｒａｄｉｏ  ｉｎｔｅｒｆａｃｅ  ｌａｙｅｒ  ３  ｓｐｅｃｉｆｉｃａｔｉｏｎ；
Ｒａｄｉｏ  Ｒｅｓｏｕｒｃｅ  Ｃｏｎｔｒｏｌ  （ＲＲＣ）  ｐｒｏｔｏｃｏｌ
（Ｒｅｌｅａｓｅ  ９）”
これらの参考文献の両方は、ｗｗｗ．３ｇｐｐ．ｏｒｇ／ｆｔｐ／Ｓｐｅｃｓ／２０１０−０３／Ｒｅｌ−９／４４＿ｓｅｒｉｅｓ／で入手可能である。
【０１０１】
上記の２つの文書からの４つの項が、以下で複製される。
４４．０１８から：
９．１．５５は、拡張測定レポート（Ｅｎｈａｎｃｅｄ  Ｍｅａｓｕｒｅｍｅｎｔ  Ｒｅｐｏｒｔ）メッセージである。
１０．５．２．２０は、測定レポート（Ｍｅａｓｕｒｅｍｅｎｔ  Ｒｅｐｏｒｔ）メッセージに含まれる測定レポートを含む情報要素である。
【０１０２】
（９．１．５５  拡張測定レポート）
測定結果を含有する、このメッセージは、携帯電話によってＳＡＣＣＨ上でネットワークに送信される。以下を参照されたい。
【０１０３】
このメッセージは、ＧＳＭ（登録商標）および／または３Ｇ無線アクセス技術についてのレポートを含有してもよい。測定は、３ＧＰＰ  ＴＳ  ４５．００８に定義されている。
【０１０４】
【表１−１】
0005945583.tif 000002
【０１０５】
【表１−２】
0005945583.tif 000003
【０１０６】
【表２−１】
0005945583.tif 000004
【０１０７】
【表２−２】
0005945583.tif 000005
【０１０８】
【表２−３】
0005945583.tif 000006
【０１０９】
（１０．５．２．２０  測定結果）
測定結果情報要素の目的は、サービングセルおよび隣接セル上の移動局によって行われる測定の結果を提供することである。
【０１１０】
測定結果情報要素は、以下および表１０．５．２．２０．１に示されるようにコード化される。
【０１１１】
測定結果は、１７オクテット長を有する３型情報要素である。
【０１１２】
【表３】
0005945583.tif 000007
【０１１３】
【表４−１】
0005945583.tif 000008
【０１１４】
【表４−２】
0005945583.tif 000009
【０１１５】
【表４−３】
0005945583.tif 000010
【０１１６】
【表４−４】
0005945583.tif 000011
【０１１７】
（４４．０６０から）
１１．２．９は、パケット測定レポートである
１１．２．９ｄは、パケット拡張測定レポートである
（１１．２．９  パケット測定レポート）
このメッセージは、測定結果を報告するように、移動局からネットワークへＰＡＣＣＨ上で送信される。メッセージは、ネットワーク制御測定からの測定結果を含有する。（３Ｇ）マルチＲＡＴ移動局については、３Ｇセルについてのレポートが含まれてもよい。（Ｅ−ＵＴＲＡＮ）マルチＲＡＴ移動局については、Ｅ−ＵＴＲＡＮセルについてのレポートが含まれてもよい。
【０１１８】
【表５−１】
0005945583.tif 000012
【０１１９】
【表５−２】
0005945583.tif 000013
【０１２０】
【表６−１】
0005945583.tif 000014
【０１２１】
【表６−２】
0005945583.tif 000015
【０１２２】
【表６−３】
0005945583.tif 000016
【０１２３】
（１１．２．９ｄ  パケット拡張測定レポート）
このメッセージは、拡張測定結果を報告するように、パケット転送モードの場合はＰＡＣＣＨ上で、またはＰＤＴＣＨ上の割り当てられたブロック上で、移動局からネットワークへ送信される。メッセージは、ネットワーク制御測定からの測定結果を含有する。
【０１２４】
【表７−１】
0005945583.tif 000017
【０１２５】
【表７−２】
0005945583.tif 000018
【０１２６】
【表８−１】
0005945583.tif 000019
【０１２７】
【表８−２】
0005945583.tif 000020
【０１２８】
【表８−３】
0005945583.tif 000021
【０１２９】
加えて、ＧＰ−１００７４６  ＣＲ  ４４．０６０−１３３８  ｒｅｖ  ２  “Ｉｎｔｒｏｄｕｃｔｉｏｎ  ｏｆ  ｉｎｂｏｕｎｄ  ｍｏｂｉｌｉｔｙ  ｔｏ  ＣＳＧ  ｃｅｌｌｓ”，  Ｎｏｋｉａ  Ｓｉｅｍｅｎｓ  Ｎｅｔｗｏｒｋｓ，  Ｎｏｋｉａ  Ｃｏｒｐｏｒａｔｉｏｎ，３ＧＰＰ  ＴＳＧ  ＧＥＲＡＮ  ＃４６，１７−２１  Ｍａｙ  ２０１０，Ｊｅｊｕ，Ｓｏｕｔｈ  Ｋｏｒｅａが参照される。この文書は、ルーティングパラメータを含有する測定レポートの具体的実施例を含有する。２つの項が以下で複製される。
【０１３０】
（１２．５９  Ｅ−ＵＴＲＡＮ  ＣＳＧ測定レポート）
Ｅ−ＵＴＲＡＮ  ＣＳＧ測定レポート情報要素は、そのセルグローバル識別を介して識別される１つのＥ−ＵＴＲＡＮ  ＣＳＧ隣接セルに対する測定結果を含有する。
【０１３１】
【表９】
0005945583.tif 000022
【０１３２】
【表１０】
0005945583.tif 000023
【０１３３】
（１２．６０  ＵＴＲＡＮ  ＣＳＧ測定レポート）
【０１３４】
【表１１−１】
0005945583.tif 000024
【０１３５】
【表１１−２】
0005945583.tif 000025
【０１３６】
【表１２】
0005945583.tif 000026
【０１３７】
本願の多数の修正および変化例が、上記の教示を踏まえて可能である。したがって、添付の請求項の範囲内で、本願は、本明細書で具体的に説明される様な方法以外で実践されてもよいことを理解されたい。
【図１】
0005945583.tif 000027
【図２】
0005945583.tif 000028
【図３】
0005945583.tif 000029
【図４】
0005945583.tif 000030
【図５】
0005945583.tif 000031
【図６】
0005945583.tif 000032
【図７】
0005945583.tif 000033
【図８】
0005945583.tif 000034